Podtech/llm-jp-corpus-v4-ja_patent huggingface dataset:
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
建物における空気品質を監視して環境を制御するための恒温装置であって、
ディスプレイを有する恒温エンクロージャー内の少なくとも１つの温度センサと、
前記恒温エンクロージャー内にあり、前記温度センサに接続された少なくとも１つの制御ユニットと、
前記恒温エンクロージャーにおいて空気流を検知するため、前記少なくとも１つの制御ユニットに接続された少なくとも１つの流量センサと、
前記恒温エンクロージャーにおいて前記少なくとも１つの制御ユニットに接続されて、前記空気流を調整する少なくとも１つの制御装置と、
前記少なくとも１つの制御ユニットに接続され、前記恒温エンクロージャーから、暖房及び冷房の少なくとも１つを制御する少なくとも１つの外部ハンドラ装置に転送される制御信号を発生させるアクチュエータ制御装置と、
前記恒温エンクロージャーにおいて前記少なくとも１つの制御ユニットに接続された少なくとも１つの浮遊粒子状物質センサと、
を備え、
前記浮遊粒子状物質センサは、前記空気流を通って光ビームを通過させる光源を含み、複数の粒子状物質が前記光ビームを通過して前記浮遊粒子状物質センサが粒子数をカウントして、該粒子数のカウント情報を前記制御ユニットに通信するようにし、前記粒子数のカウント情報は、空気流の時間期間の間にカウントされた粒子数を少なくとも含み、前記アクチュエータ制御装置は、前記少なくとも１つの外部ハンドラ装置と通信して、該少なくとも１つの外部ハンドラ装置を用いて暖房及び冷房の少なくとも１つを制御する、恒温装置。
【請求項２】
前記浮遊粒子状物質センサが、全揮発性有機化合物（ＶＯＣ）を測定するためのガスセンサを更に備える、請求項１に記載の恒温装置。
【請求項３】
前記制御ユニットと通信し、空気中の酸素濃度を測定する追加のセンサを更に備える、請求項１に記載の恒温装置。
【請求項４】
前記制御ユニットと通信し、相対湿度を測定する湿度センサを更に備える、請求項１に記載の恒温装置。
【請求項５】
前記制御ユニットに結合され、温度データ及び粒子数カウントデータを含む視覚情報を提供するディスプレイを更に備える、請求項１に記載の恒温装置。
【請求項６】
前記制御ユニットに結合されて、ユーザーが前記恒温装置に入力を提供することができるようにした入力ユニットを更に備える、請求項１に記載の恒温装置。
【請求項７】
前記少なくとも１つの制御ユニットに接続された、浮遊有機化合物を測定する揮発性有機化合物（ＶＯＣ）センサと、
前記少なくとも１つの制御ユニットに接続された、酸素濃度を測定する酸素センサと、
前記少なくとも１つの制御ユニットに接続された、水分を測定する湿度センサと、
を更に備え、
前記アクチュエータ制御装置は、各々が前記少なくとも１つの制御ユニットに接続されて、前記少なくとも１つの外部ハンドラ装置と通信するための複数のアクチュエータを含む、請求項１に記載の恒温装置。
【請求項８】
前記センサの各々は、１又は２以上の予め定められた制御アルゴリズム及び選択可能な設定値に従って前記複数のアクチュエータから選択された１つのアクチュエータを制御するのに使用される、請求項７に記載の恒温装置。
【請求項９】
前記制御信号は、測定された温度が指定された設定値より低下した時に暖房機を作動させ、又は測定された温度が指定された設定値を超えた時に冷房機を作動させる、請求項１に記載の恒温装置。
【請求項１０】
前記制御信号は、測定された浮遊粒子状物質のカウントが指定された設定値を超えた時にフィルタを作動させる、請求項１に記載の恒温装置。
【請求項１１】
前記制御信号は、揮発性有機化合物（ＶＯＣ）のカウントが指定された設定値を超えた時にフィルタを作動させる、請求項２に記載の恒温装置。
【請求項１２】
二酸化炭素（ＣＯ2）センサを更に備え、前記制御信号は、測定された二酸化炭素（ＣＯ2）が指定された設定値を超えた時に空気交換器を作動させる、請求項１に記載の恒温装置。
【請求項１３】
前記制御信号は、相対湿度が指定された設定値を超えた時に除湿器を作動させる、請求項４に記載の恒温装置。
【請求項１４】
前記制御信号は、相対湿度が指定された設定値より低下した時に加湿器を作動させる、請求項４に記載の恒温装置。
【請求項１５】
前記恒温エンクロージャーは、空気流入口と空気流排気装置を含み、前記制御ユニットは、ディスプレイ上に表示される粒子状物質濃度を計算するプログラム可能プロセッサを備える、請求項１に記載の恒温装置。
【請求項１６】
前記恒温エンクロージャーは、粒子状物質濃度を計算するプロセッサを含む、請求項１に記載の恒温装置。
【請求項１７】
前記制御装置に接続された、浮遊有機化合物を測定する揮発性有機化合物（ＶＯＣ）センサと、
前記制御装置に接続された、酸素濃度を測定する酸素センサと、
前記制御装置に接続された、水分を測定する湿度センサと、
前記制御装置に各々が結合された複数のアクチュエータと、
を更に備え、
前記恒温装置が、少なくとも１つの浮遊粉じんの値を表示し、前記浮遊粒子状物質センサが、前記複数の粒子状物質に関する情報を前記制御装置に送り、前記情報は、カウントされた粒子数を少なくとも含み、前記センサの１又は２以上は、複数のアクチュエータから選択された少なくとも１つのアクチュエータを制御するのに使用されて、前記少なくとも１つのアクチュエータが、前記少なくとも１つの外部ハンドラ装置と通信して空気を調節するようになる、請求項１に記載の恒温装置。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
マグネトロンを備えた加熱調理器において、
被加熱物を収容する加熱庫と、
前記加熱庫を開閉可能に設けられ、窓部及び当該窓部を囲む非金属の枠部を有する扉部と、
表示を行い操作を受け付ける表示操作部と、を備え、
前記表示操作部の駆動回路を収納する非金属の回路収納部は、前記枠部の内部として、前記扉部と一体に形成され、
前記回路収納部には冷却ファンが設けられ、外部と通信する無線通信装置を前記表示操作部の駆動回路と共に前記回路収納部に設けたことを特徴とする加熱調理器。
【請求項２】
水蒸気を発生させる蒸気発生装置、及び当該蒸気発生装置に補給する水分を貯蔵する容器であり外部に取り外し可能な主に非金属からなる貯水容器と、を備え、
前記貯水容器からの水漏れの影響を受けず、かつ、前記貯水容器を通して外部と通信を行うことができるように、前記貯水容器を前記回路収納部の下方に設けたことを特徴とする請求項１に記載の加熱調理器。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
物体側から像側に向かって順に配置された、
光軸近傍で物体側に凸面を向けた正の屈折力を有する第１レンズと、
光軸近傍で物体側に凸面を向けたメニスカス形状で負の屈折力を有する第２レンズと、
正または負の屈折力を有する第３レンズと、
光軸近傍で像側に凸面を向けた負の屈折力を有する第４レンズと、
正の屈折力を有する第５レンズと、
正の屈折力を有する第６レンズと、
光軸近傍で像側に凹面を向けた負の屈折力を有する第７レンズとから構成され、前記第７レンズの像側の面は、周辺部で凸面に変化する非球面が形成されており、前記第５レンズの物体側の面は、光軸近傍で物体側に凸面を向けており、
全てのレンズは、隣接するレンズと間隔をおいて配置された単レンズであり、
以下の条件式（１）、（２）、（３）、および（１６）を満足することを特徴とする撮像レンズ。
（１）１．５０＜Ｎｄ１＜１．６０
（２）−８．０＜ｆ２／ｆ＜−２．０
（３）０．３＜ｔ２／ｔ３＜３．３
（１６）２．５＜｜ｆ３４｜／ｆ＜１２．０
ただし、
Ｎｄ１：第１レンズのｄ線における屈折率
ｆ    ：撮像レンズ全系の焦点距離
ｆ２  ：第２レンズの焦点距離
ｔ２  ：第２レンズの像側の面から第３レンズの物体側の面までの光軸上の距離
ｔ３  ：第３レンズの像側の面から第４レンズの物体側の面までの光軸上の距離
ｆ３４：第３レンズと第４レンズの合成焦点距離
【請求項２】
以下の条件式（５）を満足することを特徴とする請求項１に記載の撮像レンズ。
（５）−１０．０＜（ｒ９＋ｒ１０）／（ｒ９−ｒ１０）＜−０．５
ただし、
ｒ９：第５レンズの物体側の面の近軸曲率半径
ｒ１０：第５レンズの像側の面の近軸曲率半径
【請求項３】
以下の条件式（６）を満足することを特徴とする請求項１に記載の撮像レンズ。
（６）１．０＜｜ｆ２３｜／ｆ＜４．５
ただし、
ｆ    ：撮像レンズ全系の焦点距離
ｆ２３：第２レンズと第３レンズの合成焦点距離
【請求項４】
以下の条件式（７）を満足することを特徴とする請求項１に記載の撮像レンズ。
（７）０．０１＜ｔ３／ｆ＜０．１５
ただし、
ｆ  ：撮像レンズ全系の焦点距離
ｔ３：第３レンズの像側の面から第４レンズの物体側の面までの光軸上の距離
【請求項５】
以下の条件式（８）、および（９）を満足することを特徴とする請求項１に記載の撮像レンズ。
（８）５０＜νｄ１＜６０
（９）１５＜νｄ２＜２５
ただし、
νｄ１：第１レンズのｄ線に対するアッべ数
νｄ２：第２レンズのｄ線に対するアッべ数
【請求項６】
以下の条件式（１０）を満足することを特徴とする請求項１に記載の撮像レンズ。
（１０）１５＜νｄ４＜２５
ただし、
νｄ４：第４レンズのｄ線に対するアッベ数
【請求項７】
以下の条件式（１１）、（１２）、および（１３）を満足することを特徴とする請求項１に記載の撮像レンズ。
（１１）５０＜νｄ５＜６０
（１２）５０＜νｄ６＜６０
（１３）５０＜νｄ７＜６０
ただし、
νｄ５：第５レンズのｄ線に対するアッべ数
νｄ６：第６レンズのｄ線に対するアッべ数
νｄ７：第７レンズのｄ線に対するアッべ数
【請求項８】
物体側から像側に向かって順に配置された、
光軸近傍で物体側に凸面を向けた正の屈折力を有する第１レンズと、
光軸近傍で物体側に凸面を向けたメニスカス形状で負の屈折力を有する第２レンズと、
正または負の屈折力を有する第３レンズと、
光軸近傍で像側に凸面を向けた負の屈折力を有する第４レンズと、
正の屈折力を有する第５レンズと、
正の屈折力を有する第６レンズと、
光軸近傍で像側に凹面を向けた負の屈折力を有する第７レンズとから構成され、
前記第７レンズの像側の面は、周辺部で凸面に変化する非球面が形成されており、
全てのレンズは、隣接するレンズと間隔をおいて配置された単レンズであり、
以下の条件式（４）、および（１１）を満足することを特徴とする撮像レンズ。
（４）  ３．０＜ｆ５６７／ｆ＜１０．０
（１１）５０＜νｄ５＜６０
ただし、
ｆ      ：撮像レンズ全系の焦点距離
ｆ５６７：第５レンズ、第６レンズ、および第７レンズの合成焦点距離
νｄ５  ：第５レンズのｄ線に対するアッべ数
【請求項９】
以下の条件式（５）を満足することを特徴とする請求項８に記載の撮像レンズ。
（５）−１０．０＜（ｒ９＋ｒ１０）／（ｒ９−ｒ１０）＜−０．５
ただし、
ｒ９：第５レンズの物体側の面の近軸曲率半径
ｒ１０：第５レンズの像側の面の近軸曲率半径
【請求項１０】
以下の条件式（６）を満足することを特徴とする請求項８に記載の撮像レンズ。
（６）１．０＜｜ｆ２３｜／ｆ＜４．５
ただし、
ｆ    ：撮像レンズ全系の焦点距離
ｆ２３：第２レンズと第３レンズの合成焦点距離
【請求項１１】
以下の条件式（７）を満足することを特徴とする請求項８に記載の撮像レンズ。
（７）０．０１＜ｔ３／ｆ＜０．１５
ただし、
ｆ  ：撮像レンズ全系の焦点距離
ｔ３：第３レンズの像側の面から第４レンズの物体側の面までの光軸上の距離
【請求項１２】
以下の条件式（８）、および（９）を満足することを特徴とする請求項８に記載の撮像レンズ。
（８）５０＜νｄ１＜６０
（９）１５＜νｄ２＜２５
ただし、
νｄ１：第１レンズのｄ線に対するアッべ数
νｄ２：第２レンズのｄ線に対するアッべ数
【請求項１３】
以下の条件式（１０）を満足することを特徴とする請求項８に記載の撮像レンズ。
（１０）１５＜νｄ４＜２５
ただし、
νｄ４：第４レンズのｄ線に対するアッベ数
【請求項１４】
以下の条件式（１２）、および（１３）を満足することを特徴とする請求項８に記載の撮像レンズ。
（１２）５０＜νｄ６＜６０
（１３）５０＜νｄ７＜６０
ただし、
νｄ６：第６レンズのｄ線に対するアッべ数
νｄ７：第７レンズのｄ線に対するアッべ数
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
下記一般式（１）で表わされるペロブスカイト型金属酸化物である主成分と、Ｍｎと、Ｂｉを含有する圧電材料であって、
前記金属酸化物１００重量部に対して、
前記Ｍｎの含有量が金属換算で０．０４０重量部以上０．３６０重量部以下であり、
前記Ｂｉの含有量が金属換算で０．０４２重量部以上０．８５０重量部以下であることを特徴とする圧電材料。
（Ｂａ１−ｘ−ｙＣａｘＭ１ｙ）α（Ｔｉ１−ｚ−ｙ’ＺｒｚＭ２ｙ’）Ｏ３  （１）（式中、０．０３０≦ｘ≦０．３００、０．００３≦ｙ≦０．０４０、０．００３≦ｙ’≦０．０４０、０．０１０≦ｚ≦０．０９０、０．９００≦ｙ／ｙ’≦１．０１０、０．９８６≦α≦１．０２０、Ｍ１はＬｉ、Ｋ、Ｎａより選択される一種または複数種の金属、Ｍ２はＮｂ、Ｔａより選択される一種または複数種の金属である）
【請求項２】
前記一般式（１）において、ｙおよびｙ’が０．００５≦ｙ≦０．０１０、０．００５≦ｙ’≦０．０１０であることを特徴とする請求項１に記載の圧電材料。
【請求項３】
前記圧電材料がＭｇを含有しており、前記Ｍｇの含有量が前記一般式（１）で表されるペロブスカイト型金属酸化物１００重量部に対して金属換算で０．１００重量部以下であることを特徴とする請求項１または２に記載の圧電材料。
【請求項４】
前記圧電材料を構成する結晶粒の平均円相当径が５００ｎｍ以上１０μｍ以下であることを特徴とする、請求項１乃至３のいずれか一項に記載の圧電材料。
【請求項５】
前記圧電材料の相対密度が９３％以上１００％以下であることを特徴とする、請求項１乃至４のいずれか一項に記載の圧電材料。
【請求項６】
前記圧電材料の相対密度が、９３％以上９９％以下であることを特徴とする請求項１乃至５のいずれか一項に記載の圧電材料。
【請求項７】
前記圧電材料の周波数１ｋＨｚにおける誘電正接が０．００６以下であることを特徴とする、請求項１乃至６のいずれか一項に記載の圧電材料。
【請求項８】
前記圧電材料が、厚さ１０μｍ以下の膜であることを特徴とする請求項１乃至７のいずれかの一項に記載の圧電材料。
【請求項９】
電極と、圧電材料部と、有する圧電素子であって、前記圧電材料部を構成する圧電材料が、請求項１乃至８のいずれか一項に記載の圧電材料であることを特徴とする圧電素子。
【請求項１０】
前記圧電材料部と前記電極とが交互に積層された請求項９に記載の圧電素子。
【請求項１１】
前記電極がＡｇとＰｄを含み、前記Ａｇの含有重量Ｎ１と前記Ｐｄの含有重量Ｎ２との重量比Ｎ１／Ｎ２が０．２５≦Ｎ１／Ｎ２≦４．０であることを特徴とする、請求項１０に記載の圧電素子。
【請求項１２】
前記電極がＮｉおよびＣｕの少なくともいずれか１種を含むことを特徴とする、請求項１０に記載の圧電素子。
【請求項１３】
請求項９乃至１２のいずれか一項に記載の圧電素子を配した振動部を備えた液室と、前記液室と連通する吐出口と、を有することを特徴とする液体吐出ヘッド。
【請求項１４】
被転写体の載置部と請求項１３に記載の液体吐出ヘッドを備えたことを特徴とする液体吐出装置。
【請求項１５】
請求項９乃至１２のいずれか一項に記載の圧電素子を配した振動体と、前記振動体と接触する移動体とを少なくとも有することを特徴とする超音波モータ。
【請求項１６】
駆動部に請求項１５に記載の超音波モータを備えたことを特徴とする光学機器。
【請求項１７】
請求項９乃至１２のいずれか一項に記載の圧電素子を振動板に配した振動体を有することを特徴とする振動装置。
【請求項１８】
請求項１７に記載の振動装置を振動部に備えたことを特徴とする塵埃除去装置。
【請求項１９】
請求項１８に記載の塵埃除去装置と撮像素子ユニットとを少なくとも有する撮像装置であって、前記塵埃除去装置の振動板を前記撮像素子ユニットの受光面側に設けたことを特徴とする撮像装置。
【請求項２０】
請求項９乃至１２のいずれか一項に記載の圧電素子を備えた圧電音響部品。
【請求項２１】
請求項９乃至１２のいずれか一項に記載の圧電素子を備えることを特徴とする電子機器。
【請求項２２】
請求項９乃至１２のいずれか一項に記載の圧電素子を備え、かつ、前記圧電素子への電圧印加手段および前記圧電素子からの電力取出手段の少なくとも一方を有することを特徴とする圧電装置。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
半径方向に柔軟に拡大可能なパイプ状シースを備えたステントディストラクタであって、
前記シースが、周方向において、半径方向の可撓性が異なる少なくとも２つの部分に分割されており、
前記２つの部分が、単一材料部片で互いに接続されている、
ことを特徴とするステントディストラクタ。
【請求項２】
前記シースが、前記周方向において４つの部分に分割されており、前記部分のうちの２つが、補強部として基本的に同じ可撓性で具現化され、他の２つが、拡大部として基本的に同じ可撓性で具現化され、その目的で、前記２つの補強部が、少なくとも前記周方向において軸方向においても、前記２つの拡大部より剛性が高い、ことを特徴とする請求項１に記載のステントディストラクタ。
【請求項３】
同じ可撓性の前記２つの部分が、それぞれ、互いに正反対に対向して配置されている、ことを特徴とする請求項２に記載のステントディストラクタ。
【請求項４】
前記補強部が、追加の別個の構成要素のための支持体および／又は固定構造により具現化され又はそれが備えられている、ことを特徴とする請求項２又は３に記載のステントディストラクタ。
【請求項５】
前記支持体および／又は固定構造が、弓状又はアイレット状ラグ、又は舌状部として具現化され、前記ラグ又は前記舌状部は、さらに、前記ステントディストラクタの前記軸方向に延びており、前記ステントシースとの組み合わせにおける各ケースで、軸方向に開かれる切れ目を定義する、ことを特徴とする請求項４に記載のステントディストラクタ。
【請求項６】
好ましくは２部品の封止薄片が追加の構成要素として設けられ、それが、前記固定構造としてのラグに取り付けられるか又は押し込まれ、基本的に緩い取り付けにより前記ステントシースの外側を覆っている、ことを特徴とする請求項５に記載のステントディストラクタ。
【請求項７】
引張ロープの形態で紐通し機構が追加の構成要素として設けられ、それは、前記ステントディストラクタが、前記引張ロープの有効長さを短くするときに、半径方向に圧縮されるように、前記アイレット状ラグに通されている、ことを特徴とする請求項５又は６に記載のステントディストラクタ。
【請求項８】
釘又はディストラクションスクリューの形態で２つの骨係留要素が追加の構成要素として設けられ、それらは、外側又は内側において前記ステントディストラクタの前記ステントシースに対して並列するように、互いに正反対に対向して前記アイレット状ラグへ軸方向に挿入されている、ことを特徴とする請求項５〜７のいずれか一項に記載のステントディストラクタ。
【請求項９】
前記拡大部が、それぞれ、軸方向に間隔があけられた弾性状に伸張する複数の要素から構成され、当該要素が、それぞれ、前記周方向に延びているアコーディオンワイヤにより具現化されている、ことを特徴とする請求項２〜８のいずれか一項に記載のステントディストラクタ。
【請求項１０】
前記軸方向において、それぞれに内部補強部および拡大部が取り付けられている複数のセグメントに分割されており、
前記セグメントが、相対的に剛性が高い軸方向接続要素によって互いに接続されており、
前記軸方向接続要素が、さらに、セグメント毎に長さを短くするための所定の破断点を構成している、ことを特徴とする請求項１〜９のいずれか一項に記載のステントディストラクタ。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
力検出部を備えたロボットを所定の設定値に基づいて動作させた場合の前記力検出部の出力値を取得する取得部と、
前記設定値に基づいて前記ロボットに所定の第１動作を行わせるロボット制御部と、
ユーザーからの操作を受け付ける受付部と、
前記出力値の時間応答波形のうちの前記受付部が受け付けた前記操作に応じた前記時間応答波形を表示部に複数表示させる表示制御部と、
を備える制御装置。
【請求項２】
前記表示制御部は、前記受付部が受け付けた前記操作に基づいて、予め記憶部に記憶された前記時間応答波形の一部又は全部を前記表示部に表示させる、
請求項１に記載の制御装置。
【請求項３】
前記ロボット制御部は、前記受付部が受け付けた前記操作に基づいて前記設定値を特定し、特定した前記設定値と前記出力値とに基づくコンプライアントモーション制御を行う、
請求項１又は２に記載の制御装置。
【請求項４】
前記コンプライアントモーション制御は、インピーダンス制御であり、
前記設定値には、仮想弾性パラメーター又は仮想慣性パラメーター又は仮想粘性パラメーターが含まれる、
請求項３に記載の制御装置。
【請求項５】
前記受付部が受け付けた前記操作に応じた前記時間応答波形に対応付けられた前記設定値を前記ロボット制御部に設定する設定部を備え、
前記ロボット制御部は、前記設定部により設定された前記設定値に基づいて前記ロボットに所定の第２動作を行わせる、
請求項１から４のうちいずれか一項に記載の制御装置。
【請求項６】
請求項１から５のうちいずれか一項に記載の制御装置と、
前記制御装置に制御されるロボットと、
を備えるロボットシステム。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ハンドと力検出部を備えるロボットの位置及び姿勢を記憶する際、前記力検出部によって検出された外力が所定条件を満たすまで前記ロボットを動かす第１モードと、前記外力に基づき前記ロボットを動かす第２モードとを切り替える、
制御装置。
【請求項２】
前記第１モードにおいて、前記所定条件が満たされるまで、前記外力に基づく力制御によって前記ハンドを対象物に近づける、
請求項１に記載の制御装置。
【請求項３】
前記所定条件は、第１方向の前記外力が０より大きくなり、且つ、第２方向の前記外力が０となることである、
請求項１又は２に記載の制御装置。
【請求項４】
前記第１方向は、並進方向であり、
前記第２方向は、回転方向である、
請求項３に記載の制御装置。
【請求項５】
前記第１モードにおいて、前記所定条件が満たされた場合、前記所定条件が満たされた時点の前記ロボットの位置及び姿勢を記憶する、
請求項１から４のうちいずれか一項に記載の制御装置。
【請求項６】
前記第２モードにおいて、前記外力に基づいて、前記ハンドを所定方向に所定量だけ移動させる、
請求項１から５のうちいずれか一項に記載の制御装置。
【請求項７】
前記所定方向には、並進方向又は回転方向が含まれる、
請求項６に記載の制御装置。
【請求項８】
請求項１から７のうちいずれか一項に記載の制御装置に制御される、
ロボット。
【請求項９】
請求項１から７のうちいずれか一項に記載の制御装置と、
前記制御装置に制御されるロボットと、
を備えるロボットシステム。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
ロボットの制御点の位置または前記ロボットの関節の回転角を含み、前記ロボットを力制御で動作させる制御値に対し、範囲を指定し、前記制御値と前記範囲とに基づく動作を前記ロボットに行わせる、
ロボット制御装置。
【請求項２】
前記範囲は、前記制御点を一致させる点であって予め記憶された教示点の位置及び姿勢を表す教示点座標系に応じた軸に対して設定される第１閾値によって指定される、
請求項１に記載のロボット制御装置。
【請求項３】
前記教示点には、第１教示点と第２教示点とが含まれ、
前記第１教示点の前記第１閾値は、前記第２教示点の前記第１閾値と異なる、
請求項２に記載のロボット制御装置。
【請求項４】
前記範囲は、前記関節の回転角を表す関節座標系に応じた軸に対して設定される第２閾値によって指定される、
請求項２または３に記載のロボット制御装置。
【請求項５】
前記範囲は、ロボット座標系に応じた軸に対して設定される第３閾値によって指定される、
請求項２から４のうちいずれか一項に記載のロボット制御装置。
【請求項６】
前記制御値が前記範囲を所定時間以上超え続けた場合、所定の処理を行う、
請求項１から５のうちいずれか一項に記載のロボット制御装置。
【請求項７】
前記所定の処理は、異常処理と異なる処理を行う、
請求項６に記載のロボット制御装置。
【請求項８】
請求項１から７のうちいずれか一項に記載のロボット制御装置に制御される、
ロボット。
【請求項９】
請求項１から７のうちいずれか一項に記載のロボット制御装置と、
前記ロボット制御装置に制御されるロボットと、
を備えるロボットシステム。
【手続補正書】
【提出日】平成31年1月15日(2019.1.15)
【手続補正１】
【補正対象書類名】明細書
【補正対象項目名】００６６
【補正方法】変更
【補正の内容】
【００６６】
また、各人の脈拍の補正の仕方は、年齢による脈拍補正係数α、性別による脈拍補正係数βを乗算するのではなく、予め定められた補正用の脈拍数を加算または減算する仕方であってもよい。
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
側面視においてＬ字状であって座部と背もたれ部を有するシートと、前記座部と前記背もたれ部との境界地点を中心に前記背もたれ部が水平となる位置に前記Ｌ字状を保ったまま前記シートを回転可能に支持する基部とを有する乗り込み装置。
【請求項２】
請求項１の乗り込み装置において、前記座部と背もたれ部には、前記シートが後ろに向けて回転する際に、これと連動して前記座部から背もたれ部に向かう方向に移動する帯状コンベアを有していることを特徴とする乗り込み装置。
【請求項３】
請求項１の乗り込み装置において、前記シートの前記回転を間歇的に行うラチェット歯車が設けられていることを特徴とする乗り込み装置。
【請求項４】
請求項２の乗り込み装置において、前記シート内を周回するコンベアベルトであって、前記シート内周回する過程で前記座部と背もたれ部に夫々の帯状コンベアとして出現するように構成されており、前記シートが後ろに向けて回転することに連動して前記コンベアベルトを前記座部から背もたれ部に向かう方向に送り出すローラーを有していることを特徴とする乗り込み装置。
【請求項５】
請求項１の乗り込み装置において、環状のハンドリムと同心の左右の駆動輪が前記シートの両側面に配置された左右のボスにより軸支されており、要介護者の足もとの高さ位置に梁部が配置され、前記シート及び前記左右のボスは、前記梁部から起立した左右の支柱及び支柱により支持されることにより、前記シートの左右に要介護者が通過できる空間が設けられていることを特徴とする乗り込み装置。
【手続補正２】
【補正対象書類名】明細書
【補正対象項目名】発明の名称
【補正方法】変更
【補正の内容】
【発明の名称】乗り込み装置
【手続補正３】
【補正対象書類名】明細書
【補正対象項目名】０００１
【補正方法】変更
【補正の内容】
【０００１】本発明は、容易に乗り込める乗り込み装置に関する。
【手続補正４】
【補正対象書類名】明細書
【補正対象項目名】００１０
【補正方法】変更
【補正の内容】
【００１０】そこで本発明の目的は、座したままの状態で、容易に乗り込みを可能とする乗り込み装置を提供することにある。
【手続補正５】
【補正対象書類名】明細書
【補正対象項目名】００１１
【補正方法】変更
【補正の内容】
【００１１】本発明の乗り込み装置によれば、側面視においてＬ字状であって座部と背もたれ部を有するシートと、前記座部と前記背もたれ部との境界地点を中心に前記背もたれ部が水平となる位置に前記Ｌ字状を保ったまま前記シートを回転可能に支持する基部とを有する。
【手続補正６】
【補正対象書類名】明細書
【補正対象項目名】００１２
【補正方法】変更
【補正の内容】
【００１２】本発明によれば、シートは側面視においてＬ字状の形態を保ったまま反転し座部が胸当てになるように位置まで移動する。今後の移動に関しては座部が前を防御しているので、後方に注意を絞って、安心して行動することができる。背もたれ部は、ほぼ水平になっており、後ずさりして移動すれば、乗り込み装置の背後に存在する設備に乗り移ることができる。逆に、乗り込み装置に乗り込むときも、座部が胸当てになるように位置まで移動させておけば、水平になった背もたれ部の上を座部に向けて、安心して前進することが可能となる。
【手続補正７】
【補正対象書類名】明細書
【補正対象項目名】００１４
【補正方法】変更
【補正の内容】
【００１４】図１は、本実施例として車椅子１の斜視図を示している。車椅子１のシート２は、側面視がＬ字状であり、座部３と背もたれ部５とを有している。座部３には、車椅子１が進行する前後方向に移動する帯状コンベア４が設けられ、背もたれ部５は上下方向に移動する帯状コンベア６が夫々設けられている。帯状コンベア４及び帯状コンベア６が実質、要介護者が体を預ける部分であって、これらがなす角度θは約９０度である。シート２の座部３と背もたれ部５は、全体として帯状コンベア４及び帯状コンベア６の面よりも突出した箇所を有さない。また、シート２の幅は、要介護者の臀部の幅と同じか、より狭いものが好ましい。
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
所定のゲームに係るプログラムであって、該プログラムを実行するコンピュータに、
前記所定のゲームにおけるゲーム要素の行動について、第１の条件及び第２の条件の達成状況及び達成条件を管理する処理と、
前記第１の条件及び前記第２の条件のそれぞれについて、該条件の達成状況を示すゲージであって、始端から条件達成を示す終端に至るまでの充填量を以て達成状況を示すゲージを表示する処理と、
前記第１の条件及び第２の条件のそれぞれが達成された場合に、該条件について定められた処理を実行する処理と、を実行させ、
前記第１の条件に係るゲージの終端と、前記第２の条件に係るゲージの終端とは、共通の終端として同一の位置に表示され、
前記所定のゲームの進行に応じて、前記共通の終端の位置を、前記第１の条件に係るゲージの始端または前記第２の条件に係るゲージの始端に近い位置に変更して表示するとともに、前記第１の条件及び前記第２の条件に係る達成条件を変更するプログラム。
【請求項２】
前記第１の条件は、前記ゲーム要素の行動終了条件であり、
前記共通の終端の位置が前記第２の条件に係るゲージの始端に近い位置に変更して表示された場合に、行動終了条件は緩和される
請求項１に記載のプログラム。
【請求項３】
前記第１の条件に係るゲージは、前記ゲーム要素の行動可能時間を示しており、
前記共通の終端の位置が前記第２の条件に係るゲージの始端に近い位置に変更して表示された場合に、行動可能時間は延長される
請求項１または２に記載のプログラム。
【請求項４】
前記共通の終端の位置は、前記ゲーム要素について第１の行動が発動したことによって、前記第２の条件に係るゲージの始端に近い位置に変更して表示される請求項１乃至３のいずれか１項に記載のプログラム。
【請求項５】
前記第２の条件は、前記第１の行動と異なる第２の行動の発動条件であり、
前記共通の終端の位置は、前記第２の行動が発動したことに応じて、前記第１の条件に係るゲージの始端に近い位置に変更して表示される
請求項４に記載のプログラム。
【請求項６】
前記第２の行動は、前記第１の行動よりも、発動によってゲームの進行を有利にする行動である請求項５に記載のプログラム。
【請求項７】
前記第１の条件に係るゲージの始端と前記第２の条件に係るゲージの始端は共通の位置に表示され、
前記第１の条件に係るゲージと前記第２の条件に係るゲージとは、一体となって環状のゲージを形成する
請求項１乃至６のいずれか１項に記載のプログラム。
【請求項８】
請求項１乃至７のいずれか１項に記載のプログラムを記録した、コンピュータ読み取り可能な記録媒体。
【手続補正２】
【補正対象書類名】明細書
【補正対象項目名】発明の名称
【補正方法】変更
【補正の内容】
【発明の名称】プログラム及び記録媒体
【手続補正３】
【補正対象書類名】明細書
【補正対象項目名】０００１
【補正方法】変更
【補正の内容】
【０００１】
本発明は、プログラム及び記録媒体に関し、特に所謂ソーシャルゲームのジャンルに分類される電子ゲームに関する。
【手続補正４】
【補正対象書類名】明細書
【補正対象項目名】０００５
【補正方法】変更
【補正の内容】
【０００５】
ところで、特許文献１のようなソーシャルゲームは、サーバにクライアント端末が接続されることでサービス提供が行われるものであり、時間帯によっては同時に接続する端末数が多くなりがちであり、一回のゲームプレイが長期化しないよう、プレイ時間あるいは進行度の観点で制限が加えられることが一般的である。故に、ゲームの内容が単調になる可能性があった。
【手続補正５】
【補正対象書類名】明細書
【補正対象項目名】０００６
【補正方法】変更
【補正の内容】
【０００６】
本発明の少なくとも１つの実施形態は、上述の問題点に鑑みてなされたものであり、ゲームプレイに際し、行動選択に係る攻略性を担保し、より興趣性の高いゲームを提供するプログラム及び記録媒体を提供することを目的とする。
【手続補正６】
【補正対象書類名】明細書
【補正対象項目名】０００７
【補正方法】変更
【補正の内容】
【０００７】
前述の目的を達成するために、本発明の少なくとも１つの実施形態に係るプログラムは、所定のゲームに係るプログラムであって、該プログラムを実行するコンピュータに、所定のゲームにおけるゲーム要素の行動について、第１の条件及び第２の条件の達成状況及び達成条件を管理する処理と、第１の条件及び第２の条件のそれぞれについて、該条件の達成状況を示すゲージであって、始端から条件達成を示す終端に至るまでの充填量を以て達成状況を示すゲージを表示する処理と、第１の条件及び第２の条件のそれぞれが達成された場合に、該条件について定められた処理を実行する処理と、を実行させ、第１の条件に係るゲージの終端と、第２の条件に係るゲージの終端とは、共通の終端として同一の位置に表示され、所定のゲームの進行に応じて、共通の終端の位置を、第１の条件に係るゲージの始端または第２の条件に係るゲージの始端に近い位置に変更して表示するとともに、第１の条件及び第２の条件に係る達成条件を変更する。
【手続補正７】
【補正対象書類名】明細書
【補正対象項目名】０００８
【補正方法】変更
【補正の内容】
【０００８】
このような構成により本発明の少なくとも１つの実施形態によれば、ゲームプレイに際し、行動選択に係る攻略性を担保し、より興趣性の高いゲームを提供することが可能となる。
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常演出状態と特別演出状態とを含む複数種類の演出状態の間で演出状態を移行させ、前記通常演出状態において演出状態を前記特別演出状態に移行させるか否かを決定し、前記特別演出状態において第１カウンタの値を更新して前記第１カウンタの値がしきい値に達したこと基づいて前記特別演出状態を終了させる特別演出制御手段と、
少なくとも前記特別演出状態において第２カウンタの値を更新して前記第２カウンタの値がしきい値に達したことに基づいて演出状態を前記通常演出状態に初期化する初期化処理を実行する初期化手段と、
前記特別演出状態である場合に所定の役の入賞を補助する入賞補助演出を演出装置に実行させる制御を行う演出制御手段とを備えた遊技機であって、
前記特別演出制御手段が、
前記特別演出状態において所定条件が成立した場合に前記第１カウンタが現在の値からしきい値に達するまでにカウントするカウント数が多くなるようにし、
前記初期化手段が、
前記特別演出状態において遊技が行われる毎に前記第２カウンタの値がしきい値に近づくように一定値ずつ更新し、
前記特別演出状態において前記第２カウンタの値がしきい値に達した場合には前記第１カウンタの値がしきい値に達していなくても強制的に前記特別演出状態を終了させてから前記初期化処理を実行することを特徴とする遊技機。
【請求項２】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常演出状態と特別演出状態とを含む複数種類の演出状態の間で演出状態を移行させ、前記通常演出状態において演出状態を前記特別演出状態に移行させるか否かを決定し、前記特別演出状態において第１カウンタの値を更新して前記第１カウンタの値がしきい値に達したこと基づいて前記特別演出状態を終了させる特別演出制御手段と、
少なくとも前記特別演出状態において第２カウンタの値を更新して前記第２カウンタの値がしきい値に達したことに基づいて演出状態を前記通常演出状態に初期化する初期化処理を実行する初期化手段と、
前記特別演出状態である場合に所定の役の入賞を補助する入賞補助演出を演出装置に実行させる制御を行う演出制御手段とを備えた遊技機であって、
前記特別演出制御手段が、
前記特別演出状態において所定条件が成立した場合に前記第１カウンタが現在の値からしきい値に達するまでにカウントするカウント数が多くなるようにし、
前記初期化手段が、
前記特別演出状態において遊技が行われる毎に前記第２カウンタの値がしきい値に近づくように一定値ずつ更新し、
前記特別演出状態において前記第２カウンタの値がしきい値に達した場合には前記第１カウンタの値がしきい値に達していなくても前記初期化処理によって強制的に前記特別演出状態を終了させることを特徴とする遊技機。
【請求項３】
請求項１または２において、
前記特別演出制御手段が、
演出状態を前記特別演出状態に移行させることを決定した場合に特定遊技区間において演出状態を前記特別演出状態に設定し、
前記初期化手段が、
前記特定遊技区間を含む複数種類の遊技区間の間で遊技区間を移行させ、前記特定遊技区間に移行したことに基づいて前記第２カウンタの値の更新を開始し、前記特定遊技区間では遊技が行われる毎に前記第２カウンタの値がしきい値に近づくように一定値ずつ更新することを特徴とする遊技機。
【請求項４】
請求項３において、
前記初期化手段が、
前記特定遊技区間において前記第１カウンタの値がしきい値に達したこと基づいて前記特別演出状態が終了して前記通常演出状態に滞在することになっても前記特定遊技区間を継続させる場合が存在し、当該特定遊技区間では演出状態の変動に関わらずに継続して前記第２カウンタの値を更新して前記第２カウンタの値がしきい値に達したことに基づいて前記特定遊技区間を終了させることを特徴とする遊技機。
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
本体枠に着脱可能な扉枠を備えた遊技機であって、
前記扉枠には、複数の発光部が設けられており、
前記複数の発光部のうちの所定の発光部の間には、前記遊技機を正面視して左右方向に貫通する貫通領域が設けられている
ことを特徴とする遊技機。
【手続補正２】
【補正対象書類名】明細書
【補正対象項目名】０００６
【補正方法】変更
【補正の内容】
【０００６】
そこで、本発明は、上記の実情に鑑み、遊技機の前方にまで移動しなくとも探しやすい遊技機の提供を課題とするものである。
【手続補正３】
【補正対象書類名】明細書
【補正対象項目名】０００７
【補正方法】変更
【補正の内容】
【０００７】
上記課題を解決するために、本願発明は、
「本体枠に着脱可能な扉枠を備えた遊技機であって、
前記扉枠には、複数の発光部が設けられており、
前記複数の発光部のうちの所定の発光部の間には、前記遊技機を正面視して左右方向に貫通する貫通領域が設けられている」ことを特徴とする。
また、上記発明とは別に以下の手段を採用してもよい。
手段１：遊技機において、
「遊技が行われる遊技領域を有している遊技盤と、
該遊技盤を前方から着脱可能に保持している本体枠と、
該本体枠の前面側を開閉可能に閉鎖しており、前方から前記遊技領域を視認可能としている扉窓を有している扉枠と、
該扉枠における前記扉窓の左右方向の少なくとも一方の外側から前方へ平板状に延出しており、左右方向に貫通しているサイド窓、及び前記遊技領域内において遊技が行われることで変化する遊技状態に応じて前記サイド窓を通した視認性を変化させる視認性変化手段を有している扉枠サイドユニットと
を具備している」ものであることを特徴とする。
【手続補正４】
【補正対象書類名】明細書
【補正対象項目名】００８６
【補正方法】変更
【補正の内容】
【００８６】
このように、本発明によれば、遊技機の前方にまで移動しなくとも探しやすい遊技機を提供することができる。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
後方からの光を前方に透過する透過性を有し，画像を表示する画像表示部材と，
前記画像表示部材の後方に位置し，光源を点灯して前記画像表示部材を後方から照明する点灯状態と，前記光源を消灯するもしくは点灯状態よりも暗く前記画像表示部材を照明する消灯状態とを，電気的に切り換える照明部材と，
前記画像表示部材の後方に位置し，後方を視認可能にする視認可能状態と，前記視認可能状態よりも後方を視認困難な状態にする視認困難状態とを，電気的に切り換える透過部材と，
前記透過部材を視認可能状態とし，前記照明部材を消灯状態とし，前記画像表示部材の画像表示領域に，前記画像表示部材の後方を視認可能にする透過画像を,電源スイッチの入力により表示させる電源投入時制御手段と，
を備えることを特徴とする遊技機。
【請求項２】
請求項１に記載する遊技機において，
前記照明部材および前記透過部材よりも後方に位置する透過表示される対象を備え，
前記透過部材を視認可能状態かつ前記照明部材を消灯状態とした状態で，前記透過表示される対象が視認可能になる，
ことを特徴とする遊技機。
【請求項３】
請求項２に記載する遊技機において，
前記透過表示される対象は，少なくとも待機状態から動作状態に制御可能な可動体であり，
前記電源スイッチの入力により，前記可動体の動作確認を実行可能に構成されている，
ことを特徴とする遊技機。
【手続補正２】
【補正対象書類名】明細書
【補正対象項目名】０００８
【補正方法】変更
【補正の内容】
【０００８】
本発明の遊技機は，
後方からの光を前方に透過する透過性を有し，画像を表示する画像表示部材と，
前記画像表示部材の後方に位置し，光源を点灯して前記画像表示部材を後方から照明する点灯状態と，前記光源を消灯するもしくは点灯状態よりも暗く前記画像表示部材を照明する消灯状態とを，電気的に切り換える照明部材と，
前記画像表示部材の後方に位置し，後方を視認可能にする視認可能状態と，前記視認可能状態よりも後方を視認困難な状態にする視認困難状態とを，電気的に切り換える透過部材と，
前記透過部材を視認可能状態とし，前記照明部材を消灯状態とし，前記画像表示部材の画像表示領域に，前記画像表示部材の後方を視認可能にする透過画像を,電源スイッチの入力により表示させる電源投入時制御手段と，
を備えることを特徴とする遊技機である。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
後方からの光を前方に透過する透過性を有し，画像を表示する画像表示部材と，
前記画像表示部材の後方に位置し，光源を点灯して前記画像表示部材を後方から照明する点灯状態と，前記光源を消灯するもしくは点灯状態よりも暗く前記画像表示部材を照明する消灯状態とを，電気的に切り換える照明部材と，
前記画像表示部材の後方に位置し，後方を視認可能にする視認可能状態と，前記視認可能状態よりも後方を視認困難な状態にする視認困難状態とを，電気的に切り換える透過部材と，
所定の入力があったことに応じて，前記照明部材を点灯状態とし，前記画像表示部材の画像表示領域に，前記画像表示部材の後方を視認困難にする演出画像を表示する表示制御手段と，
を備えることを特徴とする遊技機。
【請求項２】
請求項１に記載する遊技機において，
前記照明部材および前記透過部材よりも後方に位置する可動体と，
電源が投入されたことに応じて，前記可動体の動作確認制御を行う動作確認手段と，
を備え，
前記所定の入力は，前記動作確認制御を行っている期間中の，遊技球の特定領域への入賞である，
ことを特徴とする遊技機。
【手続補正２】
【補正対象書類名】明細書
【補正対象項目名】０００８
【補正方法】変更
【補正の内容】
【０００８】
本発明の遊技機は，
後方からの光を前方に透過する透過性を有し，画像を表示する画像表示部材と，
前記画像表示部材の後方に位置し，光源を点灯して前記画像表示部材を後方から照明する点灯状態と，前記光源を消灯するもしくは点灯状態よりも暗く前記画像表示部材を照明する消灯状態とを，電気的に切り換える照明部材と，
前記画像表示部材の後方に位置し，後方を視認可能にする視認可能状態と，前記視認可能状態よりも後方を視認困難な状態にする視認困難状態とを，電気的に切り換える透過部材と，
所定の入力があったことに応じて，前記照明部材を点灯状態とし，前記画像表示部材の画像表示領域に，前記画像表示部材の後方を視認困難にする演出画像を表示する表示制御手段と，
を備えることを特徴とする遊技機である。
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
光が照射された被検体から発生する光音響波に由来する光音響画像データを取得する光音響画像取得部と、
シミュレーション条件を設定する設定部と、
前記設定部により設定された前記シミュレーション条件に対応するシミュレーション画像データを取得する参照画像取得部と、
前記光音響画像データに基づく光音響画像と、前記シミュレーション画像データに基づく参照画像とを表示部に表示させる表示制御部と、
を有することを特徴とする情報処理システム。
【請求項２】
前記参照画像取得部は、前記設定部により設定された前記シミュレーション条件において、吸収体モデルに光が照射された場合に発生する光音響波に由来する光音響画像データに基づく前記シミュレーション画像データを取得する
ことを特徴とする請求項１に記載の情報処理システム。
【請求項３】
情報を指定できるように構成された入力部をさらに有し、
前記設定部は、前記入力部により指定された前記情報に基づいて前記シミュレーション条件を設定する
ことを特徴とする請求項２に記載の情報処理システム。
【請求項４】
前記吸収体モデルのパラメータを指定できるように構成された入力部をさらに有し、
前記設定部は、前記入力部により指定された前記吸収体モデルのパラメータに基づいて、前記シミュレーション条件を設定し、
前記参照画像取得部は、前記シミュレーション条件で前記シミュレーション画像データを取得する
ことを特徴とする請求項３に記載の情報処理システム。
【請求項５】
前記パラメータは、前記吸収体モデルの形状に関するパラメータを含む
ことを特徴とする請求項４に記載の情報処理システム。
【請求項６】
前記形状に関するパラメータは、前記吸収体モデルの形状の種類、サイズ、配置角度を含む
ことを特徴とする請求項５に記載の情報処理システム。
【請求項７】
前記光音響画像内の関心領域を指定できるように構成された入力部をさらに有し、
前記設定部は、前記入力部により指定された前記関心領域内の画像に基づいて前記シミュレーション条件を設定し、
前記参照画像取得部は、前記シミュレーション条件で前記シミュレーション画像データを取得する
ことを特徴とする請求項１に記載の情報処理システム。
【請求項８】
前記設定部は、前記光音響画像データから特徴画像を抽出し、当該特徴画像に基づいて前記シミュレーション条件を設定する
ことを特徴とする請求項１に記載の情報処理システム。
【請求項９】
前記設定部は、複数のシミュレーション条件を設定し、
前記参照画像取得部は、前記複数のシミュレーション条件に対応する複数のシミュレーション画像データを取得し、
前記表示制御部は、前記光音響画像と、前記複数のシミュレーション画像データに基づく複数の参照画像とを前記表示部に表示させる
ことを特徴とする請求項１ないし８のいずれか１項に記載の情報処理システム。
【請求項１０】
前記シミュレーション条件が保存されたメモリをさらに有し、
前記設定部は、前記シミュレーション条件を前記メモリから読み出すことにより設定する
ことを特徴とする請求項１または２に記載の情報処理システム。
【請求項１１】
複数の前記シミュレーション画像データが保存されたメモリをさらに有し、
前記参照画像取得部は、前記設定部により設定された前記シミュレーション条件に対応する前記シミュレーション画像データを、前記メモリに保存された前記複数のシミュレーション画像データの中から読み出すことにより取得する
ことを特徴とする請求項１ないし１０のいずれか１項に記載の情報処理システム。
【請求項１２】
前記表示制御部は、前記光音響画像と前記参照画像を、隣接表示または重畳表示により、前記表示部に表示させる
ことを特徴とする請求項１ないし１１のいずれか１項に記載の情報処理システム。
【請求項１３】
光が照射された被検体から発生する光音響波に由来する光音響画像データを取得する光音響画像取得部と、
複数のシミュレーション条件に対応する複数のシミュレーション画像データを取得する参照画像取得部と、
前記複数のシミュレーション画像データと前記光音響画像データとの類似度を取得する類似度取得部と、
前記類似度が所定の数値範囲に含まれるか否かを判定する判定部と、
前記光音響画像データに基づく光音響画像と、前記判定部により類似度が前記所定の数値範囲に含まれると判定された前記シミュレーション画像データに対応する前記シミュレーション条件と、を表示部に表示させる表示制御部と、
を有することを特徴とする情報処理システム。
【請求項１４】
前記光音響画像内の関心領域を指定できるように構成された入力部をさらに有し、
前記類似度の取得は、前記入力部により指定された前記関心領域内の前記光音響画像と、前記複数のシミュレーション画像データとの類似度を取得する
ことを特徴とする請求項１３に記載の情報処理システム。
【請求項１５】
光が照射された被検体から発生する光音響波に由来する光音響画像を表示する工程と、
シミュレーションにより得られたシミュレーション画像データを表示する工程と、
を有することを特徴とする表示制御方法。
【請求項１６】
シミュレーション条件の指定を受け付ける工程をさらに有し、
前記シミュレーション画像データを表示する工程は、指定された前記シミュレーション条件に対応するシミュレーション画像データを表示する工程を含む
ことを特徴とする請求項１５に記載の表示制御方法。
【請求項１７】
光が照射された被検体から発生する光音響波に由来する光音響画像データに基づく光音響画像を表示する工程と、
前記光音響画像データに基づく光音響画像に対応するシミュレーション条件を表示する工程と、
を有することを特徴とする表示制御方法。
【請求項１８】
前記光音響画像内の関心領域の指定を受け付ける工程をさらに有し、
指定された前記関心領域内の前記光音響画像に対応する前記シミュレーション条件を表示する
ことを特徴とする請求項１７に記載の表示制御方法。
【手続補正２】
【補正対象書類名】明細書
【補正対象項目名】００１０
【補正方法】変更
【補正の内容】
【００１０】
本発明はまた、以下の構成を採用する。すなわち、
光が照射された被検体から発生する光音響波に由来する光音響画像データに基づく光音響画像を表示する工程と、
前記光音響画像データに基づく光音響画像に対応するシミュレーション条件を表示する工程と、
を有することを特徴とする表示制御方法である。